(57)【要約】【課題】点検口を構成するデッキ材の歪みを防止し、点検口を開閉するための取手を設け易くするとともに、外気温度の変化等によりウッドデッキ用のデッキ材が伸縮する場合であってもその開閉が可能なウッドデッキ用の点検口を提供する。【解決手段】根太５１と複数のデッキ材５２と開口部５５とを備えるウッドデッキ５０用の点検口１０であって、複数の枠材１３Ａを枠組みして形成されて開口部５５の周縁部に配置可能な枠体１３と、点検口用デッキ材５３が載置可能な底板１４と、を備え、枠体１３は、根太５１上に載置されるデッキ材５２と間隔Ｋを空けて根太５１上に載置可能に形成され、底板１４は、載置される点検口用デッキ材５３の上面と、デッキ材５２の上面と、枠体１３の上面と、が面一となるように、枠体１３の上面に対して一段下がった位置に設けられるものである。【選択図】図２
2018150677.tif 000002
【特許請求の範囲】
【請求項１】
複数の根太と、前記根太間に架け渡される複数のデッキ材と、隣接する根太間に形成される開口部と、を備えるウッドデッキの下方を点検するために前記開口部を開閉するウッドデッキ用の点検口であって、
複数の枠材を枠組みして形成されて前記開口部の周縁部に配置可能な枠体と、
前記枠体の内側に連設されて点検口用デッキ材が載置可能な底板と、
を備え、
前記枠体は、枠組みされる複数の枠材のうちの対向する一対の枠材が、前記開口部を形成する根太上に載置されるデッキ材と所定の間隔を空けて、前記開口部を形成する根太上に載置可能に形成され、
前記底板は、載置される点検口用デッキ材の上面と、前記根太間に架け渡されるデッキ材の上面と、前記枠体の上面と、が面一となるように、前記枠体の上面に対して一段下がった位置に設けられること
を特徴とするウッドデッキ用の点検口。
【請求項２】
前記開口部を形成する根太上に設けられる係合部材と係合することにより前記開口部を施錠する施錠機構を備えること
を特徴とする請求項１に記載のウッドデッキ用の点検口。
【発明の詳細な説明】
【技術分野】
【０００１】
本発明は、例えば、住宅、施設等のベランダ或いはテラスに複数のデッキ材を配置して構成されるウッドデッキ用の点検口に関するものである。
【背景技術】
【０００２】
従来、住宅、施設等のベランダ或いはテラスに設置されるウッドデッキとしては、例えば、特許文献１に示すようなものがある。特許文献１のウッドデッキは、土台上に渡される複数の根太上に複数のデッキ材が取付金具によって取り付けられて形成されるものである。
【０００３】
このような従来のウッドデッキにおいては、定期的な点検等でウッドデッキの下方を点検したいという要望があり、従来のウッドデッキに当該点検を行うための点検口を設けることが望まれている。
【０００４】
従来のウッドデッキに点検口を設ける場合には、図９に示すように、ウッドデッキ１００を構成するデッキ材１０１の一部を切断して、根太１０２間に開口部１０３を形成し、形成した開口部１０３の周縁に、デッキ材１０１と同じ材料の複数のデッキ材１１１をハット型の一対の補強材１１２で補強して構成される点検口１１０を開閉可能に設ける。
【先行技術文献】
【特許文献】
【０００５】
【特許文献１】特開２０１１−９９２４２号公報
【発明の概要】
【発明が解決しようとする課題】
【０００６】
しかしながら、従来のウッドデッキ用の点検口は、単に、複数のデッキ材を補強材のみで補強して構成しているため、デッキ材に歪みが発生し、また、点検口を開閉するための取手を設けることが難しいという問題があった。さらに、ウッドデッキは、通常、屋外に設置されるため、四季或いは昼夜における外気温度の変化等により、ウッドデッキ用及び点検口用のデッキ材が膨張及び収縮して長手方向に伸縮する。このため、従来のウッドデッキ用の点検口においては、上記デッキ材の収縮により、ウッドデッキ用のデッキ材と点検口用のデッキ材とが干渉して、点検口を充分に開閉させることができないという問題があった。
【０００７】
そこで、本発明は、点検口を構成するデッキ材の歪みを防止し、点検口を開閉するための取手を設け易くするとともに、外気温度の変化等によりウッドデッキ用のデッキ材が伸縮する場合であってもその開閉が可能なウッドデッキ用の点検口を提供することを目的とする。
【課題を解決するための手段】
【０００８】
本発明の解決しようとする課題は以上であり、次にこの課題を解決するための手段を説明する。
【０００９】
即ち、本発明に係るウッドデッキ用の点検口は、複数の根太と、前記根太間に架け渡される複数のデッキ材と、隣接する根太間に形成される開口部と、を備えるウッドデッキの下方を点検するために前記開口部を開閉するウッドデッキ用の点検口であって、複数の枠材を枠組みして形成されて前記開口部の周縁部に配置可能な枠体と、前記枠体の内側に連設されて点検口用デッキ材が載置可能な底板と、を備え、前記枠体は、枠組みされる複数の枠材のうちの対向する一対の枠材が、前記開口部を形成する根太上に載置されるデッキ材と所定の間隔を空けて、前記開口部を形成する根太上に載置可能に形成され、前記底板は、載置される点検口用デッキ材の上面と、前記根太間に架け渡されるデッキ材の上面と、前記枠体の上面と、が面一となるように、前記枠体の上面に対して一段下がった位置に設けられるものである。
【００１０】
本発明は、上記ウッドデッキ用の点検口において、前記開口部を形成する根太上に設けられる係合部材と係合することにより前記開口部を施錠する施錠機構を備えるものである。
【発明の効果】
【００１１】
本発明によれば、点検口用デッキ材を載置可能な底板が、載置される点検口用デッキ材の上面と、根太間に架け渡されるデッキ材の上面と、枠体の上面と、が面一となるように、枠体の上面に対して一段下がった位置に設けられ、点検口用デッキ材を底板に固定することで、点検口用デッキ材の歪みを防止することができ、点検口を開閉するための取手を容易に設けることができる。また、根太上に載置されるウッドデッキ用のデッキ材と所定の間隔を空けて載置可能に構成されることから、外気温度の変化等によりウッドデッキ用及び点検口用のデッキ材が伸縮する場合であってもその開閉を充分に行うことができる。
【図面の簡単な説明】
【００１２】
【図１】本発明に係る点検口が設けられるウッドデッキの一部分を示す平面図である。
【図２】本発明に係る点検口が設けられるウッドデッキの一部分を示す正面断面図である。
【図３】本発明に係る点検口の平面図である。
【図４】本発明に係る点検口の背面図である。
【図５】本発明に係る点検口の側面図である。
【図６】本発明に係る点検口の正面図である。
【図７】（ａ）は、本発明に係る点検口の施錠機構の正面断面図であり、（ｂ）は、本発明に係る点検口の取手の取手本体を起立させた際の平面図である。
【図８】本発明に係る点検口の開口部周縁の正面断面図である。
【図９】（ａ）は、従来の点検口が設けられるウッドデッキの一部分を示す平面図であり、（ｂ）は、従来の点検口が設けられるウッドデッキの一部分を示す平面図で正面断面図である。
【発明を実施するための形態】
【００１３】
まず、本発明に係る点検口１０について説明する。
【００１４】
図１に示すように、点検口１０は、ウッドデッキ５０に設けられる点検口であり、ウッドデッキ５０の下方を点検するために用いられるものである。点検口１０が設けられるウッドデッキ５０は、複数の根太５１と、根太５１間に架け渡される複数のデッキ材５２と、を備えるものである。なお、本発明に係るウッドデッキは、ウッドデッキ５０に限定されるものではなく、点検口を設けることが可能なウッドデッキであれば構わない。同様に、根太及びデッキ材の構成もウッドデッキ５０の根太５１及びデッキ材５２の構成に限定されるものではない。
【００１５】
図１及び図２に示すように、根太５１は、デッキ材５２を載置可能な載置面５１ａをその上部に有する側面視略逆Ｕ字状に屈曲させた金属板により構成される長尺状の部材である。根太５１は、図示しない土台に、他の隣接する根太５１と同一平面上で平行となるように所定の間隔を有して配置される。ここで、所定の間隔とは、デッキ材５２を架け渡すことが可能な間隔であるとともに、点検口１０を形成可能な間隔である。
【００１６】
デッキ材５２は、所定の板厚を有する平板形状の木製の部材である。なお、デッキ材５２は、木製の部材により構成されるものに限定されるものではなく、樹脂或いは紙が混ぜられた人工木により構成しても構わない。デッキ材５２は、根太５１の長手方向に対して水平に直交して配置され、他の隣接するデッキ材５２と平行となるように、隣接する根太５１間に架け渡された状態で根太５１の載置面５１ａ上に載置される。デッキ材５２は、ネジ等の固定部材６２により根太５１に固定される。
【００１７】
図２に示すように、点検口１０は、隣接する根太５１間に形成される開口部５５に配置される。具体的には、開口部５５は、隣接する根太５１に架け渡されて固定される複数のデッキ材５２の一部分を切断することにより、隣接する根太５１間及び隣接する根太５１の長さ方向に開口して形成される。開口部５５は、隣接する根太５１間に形成される開口部分と、当該開口部分の周縁であって隣接する根太５１の載置面５１ａに形成されて後述する点検口１０を載置する載置部分と、から構成される。開口部５５の開口部分は、ウッドデッキ５０の下方を点検可能な大きさに開口され、具体的には、隣接する根太５１間の幅と同等の大きさに開口される。開口部５５の載置部分は、根太５１の載置面５１ａの片側（開口部５５の開口部分側）に形成され、点検口１０を載置した際に、点検口１０の枠体１３と、根太５１の載置面５１ａに載置されるデッキ材５２と、の間に所定の間隔Ｋが空くように設けられる。
【００１８】
図１から図３に示すように、点検口１０は、開口部５５に配置されることで、開口部５５を閉じる。すなわち、点検口１０は、開口部５５を開閉するための蓋である。点検口１０は、開口部５５を覆うように四角形状に形成されるとともに、その内側に点検口用デッキ材５３を嵌め込み可能に側面断面視凹状に形成される。点検口１０は、開口部５５の周縁部に配置される四角形状の枠体１３と、点検口用デッキ材５３が載置される底板１４と、点検口１０を掴むための取手２０と、を備える。
【００１９】
枠体１３は、隣接する金属製の枠材１３Ａ同士を直角に枠組して構成されるものであり、同一断面の４本の枠材１３Ａを四辺に配置し、枠材１３Ａの一端部と、その隣接する枠材１３Ａの他端部と、を接合することにより四角形状に形成される。なお、枠体１３は金属製の枠材１３Ａにより構成されているが、これに限定されるものではなく、例えば、木製等の枠材により構成しても構わない。枠体１３は、その４本の枠材１３Ａのうちの対向する２本の枠材１３Ａが根太５１の載置面５１ａに載置される。
【００２０】
図２から図６に示すように、枠材１３Ａは、断面視略ロ字状の枠材本体部１３ａと、断面視略Ｌ字状の受け部１３ｂと、から主に構成されている。枠材本体部１３ａは、開口部５５の周縁部に配置される部分であり、その下端が後述するスペーサー７０及びクッション材７５を介して根太５１の載置面５１ａに載置される。受け部１３ｂは、その基端部分が枠材本体部１３ａの内側下端から下方に突出し、その途中部分が内側水平方向に折り曲げられて突出する。受け部１３ｂは、その先端部分の水平面において底板１４を受ける。根太５１の載置面５１ａに載置される枠材１３Ａの中央部には切り欠き部１３ｃが設けられる。切り欠き部１３ｃは、枠材１３Ａの中央部の一部を切り欠いた部分であり、点検口１０により開口部５５を閉じた際に、後述する施錠機構３０の止金３３が突出可能であり、且つ施錠機構３０の錠受け３４が当接しない程度に切り欠かれている。
【００２１】
底板１４は、枠体１３の内側に連設される金属製の板材である。底板１４は、点検口１０により開口部５５を閉じた際に、底板１４に載置される点検口用デッキ材５３の上面と、根太５１間に架け渡されるデッキ材５２の上面と、枠体１３の上面と、が面一となるように、枠体１３の上面に対して一段下がった位置に設けられる。底板１４は、その周縁部分が枠体１３の受け部１３ｂに載置され、ネジ等の固定部材６０により受け部１３ｂに固定される。底板１４は、その平面部分の上面に点検口用デッキ材５３が載置される。底板１４に載置される点検口用デッキ材５３は、根太５１間に架け渡される複数のデッキ材５２と同じ厚さの板材であり、枠材１３Ａの内側に嵌め込み可能な大きさに加工される。底板１４に載置される点検口用デッキ材５３は、ネジ等の固定部材６１により底板１４に固定される。このように、点検口１０は、底板１４に点検口用デッキ材５３が載置可能な構成となっているため、点検口用デッキ材５３が歪むことを防止できる。また、点検口１０は、底板１４が枠体１３の上面に対して一段下がった位置に設けられ、底板１４の上面に取手２０を取り付けることができるため、後述する取手２０を容易に設けることができる。底板１４は、その平面部分の裏面が複数の蓋補強材１５により支持される。蓋補強材１５は、底板１４を載置可能な載置面をその上部に有する側面視逆Ｕ字状に屈曲させた金属板により構成される長尺状の部材である。図３及び図４に示すように、底板１４は、雨水等を排水するための複数の排水孔１６が、その上面から下面を貫通して形成される。
【００２２】
図３、図５、及び図７に示すように、取手２０は、枠体１３を構成する４本の枠材１３Ａのうち、根太５１の載置面５１ａに載置される２本の枠材１３Ａのそれぞれの内側中央部に設けられる。取手２０は、基台２１と、取手本体２３と、施錠機構３０の錠本体３１と、から主に構成されている。
【００２３】
基台２１は、底板１４に設けられる支持部材２２により支持される。基台２１は、２本の枠材２１Ａを枠組みして平面視略コ字状に形成され、その枠組みされた枠材２１Ａの内側において取手本体２３と、施錠機構３０の錠本体３１と、を支持する。
【００２４】
取手本体２３は、基台２１の枠材２１Ａに嵌め込み可能な平板形状の部材により構成される。図７（ａ）に示すように、取手本体２３は、その基端部２３Ａが基台２１に固定される軸２４に対して回転自在に設けられる。取手本体２３の基端部２３Ａは、側面視略Ｕ字状に形成される凹状部分の内側で軸２４を受けるように、基台２１の底板と軸２４との隙間に軸２４に沿って配置される。取手本体２３は、その先端部２３Ｂが点検口１０を掴む際の持ち手となるように側面視略Ｕ字状に屈曲して形成される。
【００２５】
取手本体２３は、その先端部２３Ｂを上方に持ち上げることで、取手本体２３の基端部２３Ａが軸２４に沿って回転して取手本体２３が起立し、取手本体２３の先端部２３Ｂが持ち上げ可能な状態となるとともに、図７（ｂ）に示すように、基台２１の内部（枠組みされた枠材の内側）が開いた状態となる。また、取手本体２３は、その先端部２３Ｂを下方に倒すことで、取手本体２３が基台２１の内部（枠組みされた枠材の内側）に嵌め込まれ、基台２１の内部（枠組みされた枠材の内側）が閉じた状態となる。このように、取手２０は、点検口１０により閉じられた開口部５５を開く際には、一対の取手本体２３を互いに平行に起立させることで、点検口１０を持ち上げ可能な状態となり、点検口１０により開口部５５を閉じた際には、取手本体２３を倒すことで、取手本体２３の上面が枠体１３の上面と面一の状態となる。すなわち、取手本体２３は、点検口１０を掴む際の持ち手の機能を有するとともに、基台２１の内部（枠組みされた枠材の内側）を開閉する蓋の機能を有する。
【００２６】
点検口１０は、点検口１０により開口部５５を閉じた際に、開口部５５を施錠するための施錠機構３０を備える。施錠機構３０は、点検口１０により開口部５５を閉じた際に、開口部５５を施錠する。施錠機構３０は、錠本体３１と、錠受け３４（「係合部材」の一例）と、から主に構成されている。
【００２７】
図７に示すように、錠本体３１は、取手２０の基台２１の内部（枠組みされた枠材の内側）に収納され、取手本体２３を開くことにより取手２０の基台２１の内部（枠組みされた枠材の内側）から露出する。錠本体３１は、キーシリンダー３２と、止金３３と、を有する。止金３３は、金属製の平板状の部材により構成され、付属の鍵（図示せず）によりキーシリンダー３２を操作することで水平方向に出退する。
【００２８】
錠受け３４は、キーシリンダー３２の操作により突出する止金３３を受けるものであり、根太５１の載置面５１ａから上方に突出して立設される側面視略Ｌ字状の金属製の部材により構成される。錠受け３４は、点検口１０により開口部５５を閉じた際に、枠材１３Ａの切り欠き部１３ｃにより覆われる位置に立設される。錠受け３４は、根太５１の載置面５１ａから突出する部分の上部に、孔３４ａが形成されている。孔３４ａは、キーシリンダー３２の操作により突出する止金３３が挿通可能な大きさで長方形状に開口している。すなわち、孔３４ａは、止金３３が突出した際に止金３３と係合可能な位置で、開口部分を水平方向に向けて形成される。
【００２９】
施錠機構３０は、キーシリンダー３２を操作することで、止金３３が枠体１３の外側方向に突出し、根太５１に立設される錠受け３４の孔３４ａに挿通される。これにより、点検口１０の上下方向及び止金３３が突出する方向に対して水平に直交する方向の動きが錠受け３４により規制され、点検口１０が根太５１に固定された状態となる。また、止金３３が突出する方向に対して水平に直交する方向の点検口１０の動きは、枠材１３Ａの切り欠き部１３ｃと、錠受け３４とが当接することにより規制され、止金３３が突出する方向の点検口１０の動きは、根太５１及び錠受け３４が枠材１３Ａに当接することにより規制される。このように、施錠機構３０は、止金３３を錠受け３４の孔３４ａに挿通させて、点検口１０を、止金３３を介して、根太５１に立設される錠受け３４に係合させることで、開口部５５を施錠する。
【００３０】
次に、点検口１０の開口部５５への点検口１０の配置について説明する。図２に示すように、点検口１０により開口部５５を閉じる際には、点検口１０は、その上面が根太５１間に架け渡されるデッキ材５２の上面と面一となるように開口部５５に配置される。具体的には、点検口１０は、底板１４に載置される点検口用デッキ材５３の上面と、根太５１間に架け渡されるデッキ材５２の上面と、枠体１３の上面と、が面一となるように開口部５５に配置される。
【００３１】
ここで、点検口１０においては、底板１４に載置される点検口用デッキ材５３の上面と、根太５１間に架け渡されるデッキ材５２の上面と、枠体１３の上面と、を面一とするために、根太５１間に架け渡されるデッキ材５２の厚さに応じて、底板１４に対する点検口用デッキ材５３の高さ及び根太５１の載置面５１ａに対する枠材１３Ａの高さを、スペーサー７０、７１、及びクッション材７５を用いて調整する。
【００３２】
具体的には、図８（ａ）に示すように、根太５１間に架け渡されるデッキ材５２の厚さが、底板１４の上面から枠体１３の上面までの高さと同じ場合には、枠体１３と根太５１との間にスペーサー７０及びクッション材７５を挿入することにより、根太５１の載置面５１ａに対する枠材１３Ａの高さを調整する。
【００３３】
図８（ｂ）及び（ｃ）に示すように、根太５１間に架け渡されるデッキ材５２の厚さが、底板１４の上面から枠体１３の上面までの高さより短い場合には、枠体１３と根太５１との間にスペーサー７０及びクッション材７５、或いはクッション材７５のみを挿入するとともに、底板１４に載置される点検口用デッキ材５３と底板１４との間に底板用スペーサー７１を挿入することにより、底板１４に対する点検口用デッキ材５３の高さ及び根太５１の載置面５１ａに対する枠材１３Ａの高さをそれぞれ調整する。そして、根太５１間に架け渡されるデッキ材５２の厚さと、底板１４の上面から枠体１３の上面までの高さとの長さの比率に応じて、枠体１３と根太５１との間に挿入するスペーサー７０の高さ（枚数）と、底板１４に載置される点検口用デッキ材５３と底板１４との間に挿入される底板用スペーサー７１の高さ（枚数）との比率を調整する。
【００３４】
また、図２及び図８に示すように、点検口１０により開口部５５を閉じる際には、根太５１の載置面５１ａにおいて、根太５１間に架け渡されるデッキ材５２と、点検口１０と、が所定の間隔Ｋを空けて配置される。ウッドデッキ５０においては、デッキ材５２が、四季或いは昼夜における外気温度の変化等により膨張及び収縮して長手方向に伸縮する。そのため、根太５１間に架け渡されるデッキ材５２を、点検口１０の大きさに合わせて、点検口１０と接するように配置すると、デッキ材５２が膨張した際に、点検口１０がデッキ材５２により必要以上に挟持され、或いは、開口部５５の開口面積が小さくなることから、点検口１０により開口部５５を開閉することができない。そのため、点検口１０においては、根太５１間に架け渡されるデッキ材５２と、点検口１０と、の間に所定の間隔Ｋを設けることで、デッキ材５２の膨張により、点検口１０の開閉が不能となることを防止している。ここで、所定の間隔Ｋは、根太５１間に架け渡されるデッキ材５２の膨張率、根太５１の載置面５１ａの幅、隣接する根太５１間の間隔等により決定される間隔である。また、点検口１０は、枠体１３の内側に点検口用デッキ材５３を嵌め込んでいるため、デッキ材５２と、点検口用デッキ材５３と、の間が、枠体１３（枠材１３Ａ）によって切られる。そのため、デッキ材５２が膨張した場合であっても、点検口用デッキ材５３と干渉することはなく、枠体１３の無い点検口用デッキ材５３のみで構成された点検口と比べてその開閉を容易に行うことができる。また、間隔Ｋをデッキ材５２の膨張のみを考慮して設定できるため、枠体１３の無い点検口用デッキ材５３のみで構成された点検口と比べて、間隔Ｋを狭くすることができる。
【００３５】
以上のように、点検口１０においては、点検口用デッキ材５３を載置可能な底板１４が、載置される点検口用デッキ材５３の上面と、根太５１間に架け渡されるデッキ材５２の上面と、枠体１３の上面と、が面一となるように、枠体１３の上面に対して一段下がった位置に設けられ、点検口用デッキ材５３を底板１４に固定することで、点検口用デッキ材５３の歪みを防止することができ、点検口１０を開閉するための取手２０を容易に設けることができる。また、根太５１上に載置されるウッドデッキ用のデッキ材５２と所定の間隔Ｋを空けて載置可能に構成されることから、外気温度の変化等によりデッキ材５２及び点検口用デッキ材５３が伸縮する場合であってもその開閉を充分に行うことができる。
【００３６】
なお、本実施の形態においては、枠体１３の４本の枠材１３Ａのうちの対向する２本の枠材１３Ａが根太５１の載置面５１ａに載置されるように構成しているが、これに限定されるものではなく、隣接する根太５１に別途根太５１或いは支持部材を架け渡して、枠体１３の４本の枠材１３Ａが根太５１或いは支持部材に載置されるように構成しても構わない。
【符号の説明】
【００３７】
１０              点検口
１３              枠体
１３Ａ            枠材
１４              底板
５０              ウッドデッキ
５１              根太
５２              デッキ材
５３              点検口用デッキ材
５５              開口部
【図１】
2018150677.tif 000003
【図２】
2018150677.tif 000004
【図３】
2018150677.tif 000005
【図４】
2018150677.tif 000006
【図５】
2018150677.tif 000007
【図６】
2018150677.tif 000008
【図７】
2018150677.tif 000009
【図８】
2018150677.tif 000010
【図９】
2018150677.tif 000011